(57)【要約】【課題】  パルス位置、パルスパワーの制御のパラメータを共通化し、より汎用性の高い情報記録方法を提供する。【解決手段】  ｎＴの記録マークを記録する際、ｉ番目の記録パワーがＰｗ（ｎ，ｉ）のｍ個の記録パルスとパワーＰｂのｋ個のバイアスパルスとによるパルス状の光を照射し、かつ、第１の記録パルスを当該記録するデータの開始エッジから時間的にＴｄ（ｎ，１）だけ遅延させて照射し、かつ、記録マークの時間的長さｎＴがｊＴ増加する毎に、記録パルスの数とバイアスパルスの数とを各々１個ずつ増加させる条件下に、第１の記録パルスのパルス幅をＴｍｐ（ｎ，１）＝Ｔｍｐ（ｎ＋ｊ，１）とし、又は、第１の記録パルスの記録パワーをＰｗ（ｎ，１）＝Ｐｗ（ｎ＋ｊ，１）とする記録ストラテジを用いる。【選択図】        図５
2005004949.tif 000002
【特許請求の範囲】
【請求項１】
パルス状の光を情報記録媒体に照射することにより、記録マークの時間的長さがｎＴ（Ｔ：基本クロック周期、ｎは３以上の自然数）で表される情報を前記情報記録媒体に対して記録する情報記録方法において、
時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、
かつ、これらの記録パルス中の第１の記録パルスを当該記録するデータの開始エッジから時間的にＴｄ（ｎ，１）だけ遅延させて照射し、
かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、第１の記録パルスのパルス幅をＴｍｐ（ｎ，１）＝Ｔｍｐ（ｎ＋ｊ，１）とし、又は、第１の記録パルスの記録パワーをＰｗ（ｎ，１）＝Ｐｗ（ｎ＋ｊ，１）とする記録ストラテジを用いるようにしたことを特徴とする情報記録方法。
【請求項２】
パルス状の光を情報記録媒体に照射することにより、記録マークの時間的長さがｎＴ（Ｔ：基本クロック周期、ｎは３以上の自然数）で表される情報を前記情報記録媒体に対して記録する情報記録方法において、
時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、
かつ、これらの記録パルス中の第１の記録パルスを当該記録するデータの開始エッジから時間的にＴｄ（ｎ，１）だけ遅延させて照射し、
かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、最終の記録パルスのパルス幅をＴｍｐ（ｎ，ｍ）＝Ｔｍｐ（ｎ＋ｊ，ｍ＋１）とし、又は、最終の記録パワーをＰｗ（ｎ，ｍ）＝Ｐｗ（ｎ＋ｊ，ｍ＋１）とする記録ストラテジを用いるようにしたことを特徴とする情報記録方法。
【請求項３】
記録パルスの個数ｍがｍ≧２の場合において、ｉ番目の記録パルスと（ｉ−１）番目の記録パルスとの立上り周期をＴｄ（ｎ，ｉ）とするとき、第１の記録パルスのパルス幅Ｔｍｐ（ｎ，１）を
Ｔｄ（ｎ，２）≦Ｔｍｐ（ｎ，１）
としたことを特徴とする請求項１又は２記載の情報記録方法。
【請求項４】
Ｔｍｐ（ｎ，１）≦Ｔｍｐ（ｎ，２）としたことを特徴とする請求項３記載の情報記録方法。
【請求項５】
記録パルスの個数ｍがｍ≧２の場合において、ｉ番目の記録パルスと（ｉ−１）番目の記録パルスとの立上り周期をＴｄ（ｎ，ｉ）とするとき、最終の立上り周期Ｔｄ（ｎ，ｍ）、最終直前の記録パルスのパルス幅Ｔｍｐ（ｎ，ｍ−１）を
Ｔｄ（ｎ，ｍ）≦Ｔｍｐ（ｎ，ｍ−１）
としたことを特徴とする請求項１ないし４の何れか一記載の情報記録方法。
【請求項６】
記録パルスの個数ｍがｍ≧２の場合において、ｉ番目の記録パルスと（ｉ−１）番目の記録パルスとの立上り周期をＴｄ（ｎ，ｉ）とするとき、最終の記録パルスのパルス幅Ｔｍｐ（ｎ，ｍ）、最終直前の記録パルスのパルス幅Ｔｍｐ（ｎ，ｍ−１）を
Ｔｍｐ（ｎ，ｍ）≧Ｔｍｐ（ｎ，ｍ−１）
としたことを特徴とする請求項１ないし５の何れか一記載の情報記録方法。
【請求項７】
記録パルス及びバイアスパルス以外のタイミングでは、パワーＰｅ（ただし、Ｐｗ（ｎ，ｉ）＞Ｐｅ＞Ｐｂ）のイレースレベル光を前記情報記録媒体に照射し、
ｍ番目の記録パルスの立上りからイレースレベルの立上りまでの周期をＴｌｐ（ｎ）とするとき、
Ｔｌｐ（ｎ）≦Ｔｍｐ（ｎ，ｍ）、かつ、
Ｐｅ≦Ｐｗ（ｎ，ｍ）≦１．２Ｐｅ
としたことを特徴とする請求項１ないし６の何れか一記載の情報記録方法。
【請求項８】
パルス状の光を情報記録媒体に照射することにより、記録マークの時間的長さがｎＴ（Ｔ：基本クロック周期、ｎは３以上の自然数）で表される情報を前記情報記録媒体に対して記録する情報記録装置において、
前記情報記録媒体に対して照射する光ビームを発するレーザ光源と、
このレーザ光源を発光させる光源駆動手段と、
前記レーザ光源が発する光ビームの発光波形に関する記録ストラテジが設定されて前記光源駆動手段を制御する発光波形制御手段と、
前記情報記録媒体とこの情報記録媒体に照射される前記光ビームとを相対的に移動させる相対移動制御手段と、
を備え、
前記発光波形制御手段は、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、第１の記録パルスのパルス幅をＴｍｐ（ｎ，１）＝Ｔｍｐ（ｎ＋ｊ，１）とし、又は、第１の記録パルスの記録パワーをＰｗ（ｎ，１）＝Ｐｗ（ｎ＋ｊ，１）とする記録ストラテジを用いるようにしたことを特徴とする情報記録装置。
【請求項９】
パルス状の光を情報記録媒体に照射することにより、記録マークの時間的長さがｎＴ（Ｔ：基本クロック周期、ｎは３以上の自然数）で表される情報を前記情報記録媒体に対して記録する情報記録装置において、
前記情報記録媒体に対して照射する光ビームを発するレーザ光源と、
このレーザ光源を発光させる光源駆動手段と、
前記レーザ光源が発する光ビームの発光波形に関する記録ストラテジが設定されて前記光源駆動手段を制御する発光波形制御手段と、
前記情報記録媒体とこの情報記録媒体に照射される前記光ビームとを相対的に移動させる相対移動制御手段と、
を備え、
前記発光波形制御手段は、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、最終の記録パルスのパルス幅をＴｍｐ（ｎ，ｍ）＝Ｔｍｐ（ｎ＋ｊ，ｍ＋１）とし、又は、最終の記録パワーをＰｗ（ｎ，ｍ）＝Ｐｗ（ｎ＋ｊ，ｍ＋１）とする記録ストラテジを用いるようにしたことを特徴とする情報記録装置。
【請求項１０】
前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、第１の記録パルスのパルス幅Ｔｍｐ（ｎ，１）を
Ｔｄ（ｎ，２）≦Ｔｍｐ（ｎ，１）
としたことを特徴とする請求項８又は９記載の情報記録装置。
【請求項１１】
前記発光波形制御手段は、記録ストラテジを、Ｔｍｐ（ｎ，１）≦Ｔｍｐ（ｎ，２）とすることを特徴とする請求項１０記載の情報記録装置。
【請求項１２】
前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、最終の立上り周期Ｔｄ（ｎ，ｍ）、最終直前の記録パルスのパルス幅Ｔｍｐ（ｎ，ｍ−１）を
Ｔｄ（ｎ，ｍ）≦Ｔｍｐ（ｎ，ｍ−１）
としたことを特徴とする請求項８ないし１１の何れか一記載の情報記録装置。
【請求項１３】
前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、最終の記録パルスのパルス幅Ｔｍｐ（ｎ，ｍ）、最終直前の記録パルスのパルス幅Ｔｍｐ（ｎ，ｍ−１）を
Ｔｍｐ（ｎ，ｍ）≧Ｔｍｐ（ｎ，ｍ−１）
としたことを特徴とする請求項８ないし１２の何れか一記載の情報記録装置。
【請求項１４】
前記発光波形制御手段は、記録ストラテジを、記録パルス及びバイアスパルス以外のタイミングでは、パワーＰｅ（ただし、Ｐｗ（ｎ，ｉ）＞Ｐｅ＞Ｐｂ）のイレースレベル光を前記情報記録媒体に照射し、ｍ番目の記録パルスの立上りからイレースレベルの立上りまでの周期をＴｌｐ（ｎ）とするとき、
Ｔｌｐ（ｎ）≦Ｔｍｐ（ｎ，ｍ）、かつ、
Ｐｅ≦Ｐｗ（ｎ，ｍ）≦１．２Ｐｅ
としたことを特徴とする請求項８ないし１３の何れか一記載の情報記録装置。
【発明の詳細な説明】
【技術分野】
【０００１】
本発明は、記録可能な情報記録媒体、特にＣＤ−ＲＷ，ＤＶＤ＋ＲＷ，ＤＶＤ−ＲＡＭ，ＤＶＤ−ＲＷ等の相変化型の光情報記録媒体に適した情報記録方法、情報記録装置及び情報記録媒体に関する。
【背景技術】
【０００２】
情報のデジタル化・マルチメディア化が急速に進んでいるため、より大容量の情報を高速に記録・再生可能な記録媒体の需要が高まっている。特に、再生専用メモリであるＤＶＤ−ＲＯＭ，ＣＤ−ＲＯＭとの再生互換性を確保しつつ、記録が可能であるＤＶＤ−Ｒ，ＤＶＤ−ＲＷ，ＤＶＤ−ＲＡＭ，ＤＶＤ＋ＲＷ，ＣＤ−Ｒ，ＣＤ−ＲＷに代表される記録型光ディスクはその汎用性から注目されている。特に相変化材料を記録層材料に用いた相変化型ディスクは、記録層材料の可逆的な相変化を記録原理とするため、書換え型の光メモリとしてその用途は多岐にわたると考えられている。
【０００３】
しかし、記録原理が、記録層材料の急冷によるアモルファス化と徐冷による結晶化であり、時間的要素が大きく関与するため、高速化が困難とされている。
【０００４】
また、記録方法においても、パルス状に変調されたレーザを記録層に照射及び走査することで行い、その発光周期を基本クロック周期とするため、レーザ発振素子の応答時間の限界により、ＣＤでの２０倍速以上，ＤＶＤの５倍速以上での記録は困難とされていた。
【０００５】
このような状況を踏まえ、この種の情報記録媒体に対する記録方式として改良された各種方式等が提案されている。
【０００６】
例えば、特許文献１は、記録に用いるパルスの周期を基本クロックの約２倍とした記録方法に関する従来技術である。
【０００７】
また、非特許文献１によれば、時間的長さｎＴのマーク形成にｍ個の照射パルスを照射して記録するとき、ｎ＝２ｍ，ｎ＝２ｍ＋１とする「２Ｔ Write Strategy」が記載されている。この際、異なる長さのマークを同一のパルス数で記録するために奇数Ｔのマークを記録する際には最終パルス立上り時間を遅らせ、最終パルス幅を延長し、最終冷却パルス幅を延長することで対応している。
【０００８】
また、特許文献２によれば、マーク長さｎＴをｍ個のパルスで記録する技術が開示されており、具体的には、ｎ／ｍ≧１．２５としている。この特許文献２の実施例中にパルスの周期を基本クロックの約２倍とする記述がある。また、最終パルスでマーク長を補正する記述がある。
【０００９】
特許文献３によれば、マーク長さが３Ｔ増加する毎に記録パルスを１組増加させる記録方法が記載されており、バイアスパルスの長さを調整することで、マーク長の調整を行うようにしている。
【００１０】
特許文献４によれば、記録に用いるパルスの周期を基本クロックの約２倍とし、最終冷却パルスの終端をステップ状にし、さらにレベルを調整することでマーク長を調整するようにした技術が開示されている。
【００１１】
さらに、特許文献５においては、パルスの周期を１．５Ｔ以上とすることが開示されている。
【００１２】
【特許文献１】特開平９−１３４５２５号公報
【特許文献２】特開２００１−３３１９３６公報
【特許文献３】特開２００３−０３０８３６公報
【特許文献４】特開２００２−３３４４３３公報
【特許文献５】特開２００２−３１２９３４公報
【非特許文献１】ＣＤ−ＲＷ標準規格書「Recordable Compact Disc Systems Part III volume 3 version 1.0」（通称オレンジブックパートIII，vol.3 Ultra-speed CD-RW）
【発明の開示】
【発明が解決しようとする課題】
【００１３】
２００２年９月に制定された、２４倍速対応の書換え型ＣＤであるＵＳ  ＣＤ−ＲＷ（Ultra-speed Compact Disc ReWritable：通称オレンジブック）の標準規格書には、パルス発光周期を基本クロックの２倍とする記録方法が採用された。
【００１４】
この技術は特許文献１にて開示されているように、立上り、立下り時間が長く応答性の悪いレーザ駆動装置を用いても、媒体に十分なエネルギーを印加することができるため、従来の基本クロック周期を照射パルスの周期と同一とする方法に対して、より低い記録パワーで記録することが可能となる。
【００１５】
しかし、この記録方法は同一のパルス数で異なる長さの記録マークを形成することが不可欠となり、パルスの位置の最適化や、長さの異なるマーク毎にマルチパルスの照射時間を調整する必要があるため、照射パターンが複雑になってしまう。
【００１６】
前述のオレンジブックに記載される記録ストラテジでは、基本クロック周期Ｔに対して、マーク長(時間的長さ)が３以上１１以下の自然数ｎを用いてｎＴで表されるとき、ｎＴのマークを記録するときの照射パルス数ｍは、図１を参照すると、
ｎ＝３    ｍ＝１
ｎ＝偶数  ｍ＝ｎ／２
ｎ＝奇数  ｍ＝（ｎ−１）／２
となる。
【００１７】
例を挙げると、６Ｔマーク（図１（ｅ））と７Ｔマーク（図１（ｆ））はマーク長が異なるにも関わらず３個の同数のパルス照射で記録することになる。そのため、ｎが奇数であるマークの最終パルスの立上り位置をδ遅らせ、かつ、最終パルス幅を長くすることで解決する必要がある。
【００１８】
情報の記録は、基本的には、３レベルの照射パワーＰｗ，Ｐｅ，Ｐｂからなるパルス列を照射することで行う（図１）。このとき、Ｐｗ＞Ｐｅ＞Ｐｂである必要があり、各々、記録パワー、消去パワー（イレースレベル）、バイアスパワーと呼ばれる。Ｐ＝ＰｗのパルスとＰ＝Ｐｂとなる領域で媒体の記録層は溶融・急冷されることになり、アモルファス状態となる。一方、Ｐ＝ＰｅでＣＷ（Continuous Wave：強度変調がなく、照射強度が一定であること）照射される場合は、記録層は溶融することないが、結晶化温度以上に加熱され徐冷されるために、結晶状態となる。即ち、強度変調した光を当てることで、アモルファスマークを形成し、記録を行う。
【００１９】
このような記録方法を用いることで、レーザのパルス発光時の立上り時間が１．５ｎｓでも、Ｔｗ＝１０３ＭＨｚになるＣＤの２４倍速でも記録が可能となったものである。
【００２０】
しかし、同数の照射パルス数で異なるマークを形成しているため、照射パルスの強度Ｐｗがずれてしまうと、マークの長さが理論的な長さからずれてしまう傾向にある。即ち、パルスの照射周期が基本クロック周期と同一とする方法では(例えば、ｎ＝ｍ＋１の関係が成り立つ場合)、ｎが１増えるとパルスが１組増えるため、ｎによるマーク長のパワー依存性の差異はほとんどないが、同一パルス数で異なるマークを記録する場合はマークの長さが変わってしまう。
【００２１】
図２に模式的にその様子を示した。ｎ＝６とｎ＝７は、前述の通り、ｍ＝３である。各マーク長の最適な長さは各々、６Ｔ，７Ｔである。ここで、「長さ」とは時間的な長さを意味する。図２は実際のマーク長の最適マーク長からのずれ量Ｄの記録パワーＰｗ依存性を示したものである。ここで、横軸は記録パワーＰｗを表し、縦軸はｎ＝６，７の各々のずれ量Ｄを表す。記録パワーＰｗが最適値Ｐｗｏである場合は、ｎ＝６，７ともにずれ量Ｄ＝０又は０近傍となるが、Ｐｗ＞Ｐｗｏ，Ｐｗ＜Ｐｗｏの領域になると、各々最適値からのずれが生じる。ここで、重要なことは、各々のマーク長のＰｗ依存性が異なる点である。つまり、記録パワーが最適値Ｐｗｏからずれるほど、ｎ＝６とｎ＝７のマーク長の差は１Ｔからずれてしまうことになる。
【００２２】
この現象は符号化にマーク長−マーク間長変調を用いるＣＤ系，ＤＶＤ系の光ディスクにとって致命的な問題となる。全ての記録マークの再生信号が同様に歪む場合は、各マークの再生長さの差はほぼ１Ｔのままとなるため、スライスレベルを調整すれば、正しく再生することが可能である。しかし、ｎ＝偶数とｎ＝奇数とでずれ量Ｄが大きく異なる場合はスライスレベルの調整では対応できなくなってしまう。即ち、ＰＬＬで得られるクロックとデータのエッジとで測定されるデータ・トゥ・クロック・ジッタ（Data to Clock Jitter）が急激に悪化する（図３参照）。ジッタの悪化は、再生エラーにつながるため、情報記録媒体の再生品質を著しく悪化させてしまう。
【００２３】
さらに、情報記録媒体に繰返し記録を行うと、最適記録パワーＰｗｏにずれが生じてしまう。この現象のメカニズムは明らかではないが、繰返し記録により、記録層を構成する金属元素が拡散するため、熱物性が初期と異なってくるためと考えられる。即ち、初回記録のＰｗｏをＰｗｏ（０）とし、１０回オーバーライト後のＰｗｏをＰｗｏ（１０）とすると、Ｐｗｏ（０）≠Ｐｗｏ（１０）となってしまう。これにより、同一の照射パワーＰｗで記録しても、情報記録媒体の最適値がずれてしまうため、Ｐｗがずれた場合と同様の効果が発生してしまう。
【００２４】
これらの現象は、情報記録媒体の高密度化及び高速記録化を図るとさらに顕著になってくる。即ち、従来のＣＤ−ＲＷでは問題にならなくても、ＤＶＤ＋ＲＷやＤＶＤ−ＲＷなどでは、問題となってくる。さらに、ＤＶＤ＋ＲＷの８倍速等の高速・高密度記録では、従来の記録方法での対応は困難となっている。
【００２５】
これらの点に関しては、前述したような各種特許文献等では対応が不十分である。
【００２６】
本発明の目的は、従来のパルス位置の制御でのみ対応していたマーク長の制御をパルス強度の変更で補正し、記録パワー・オーバーライト回数によらず良好な再生特性を有する信号を記録できるようにすることである。
【００２７】
さらに、本発明は、パルス位置、パルスパワーの制御のパラメータを共通化し、より汎用性の高い情報記録方法を提供することを目的とする。
【課題を解決するための手段】
【００２８】
請求項１記載の発明は、パルス状の光を情報記録媒体に照射することにより、記録マークの時間的長さがｎＴ（Ｔ：基本クロック周期、ｎは３以上の自然数）で表される情報を前記情報記録媒体に対して記録する情報記録方法において、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、第１の記録パルスのパルス幅をＴｍｐ（ｎ，１）＝Ｔｍｐ（ｎ＋ｊ，１）とし、又は、第１の記録パルスの記録パワーをＰｗ（ｎ，１）＝Ｐｗ（ｎ＋ｊ，１）とする記録ストラテジを用いるようにした。
【００２９】
従って、記録パルスと組み合わされるバイアスパルスの数ｋと記録マークの時間的長さｎＴを規定するｎとの関係から、第１の記録パルスの立上り時間、照射時間又は照射パワーが制御され、かつ、統一されるため、少ないパラメータで複雑な記録ストラテジを表現することができ、同時に、良好な特性を確保することができる。
【００３０】
請求項２記載の発明は、パルス状の光を情報記録媒体に照射することにより、記録マークの時間的長さがｎＴ（Ｔ：基本クロック周期、ｎは３以上の自然数）で表される情報を前記情報記録媒体に対して記録する情報記録方法において、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数であるｎ，ｍ，ｋによらない定数，ｍ（ｎ＋ｊ）＝ｍ（ｎ）＋１，ｋ（ｎ＋ｊ）＝ｋ（ｎ）＋１）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数）増加する毎に、前記記録パルスの数と前記バイアスパルスの数とを各々１個ずつ増加させる条件下に、最終の記録パルスのパルス幅をＴｍｐ（ｎ，ｍ）＝Ｔｍｐ（ｎ＋ｊ，ｍ＋１）とし、又は、最終の記録パワーをＰｗ（ｎ，ｍ）＝Ｐｗ（ｎ＋ｊ，ｍ＋１）とする記録ストラテジを用いるようにした。
【００３１】
従って、記録パルスと組み合わされるバイアスパルスの数ｋと記録マークの時間的長さｎＴを規定するｎとの関係から、最終の記録パルスの照射時間又は照射パワーが制御され、かつ、統一されるため、少ないパラメータで複雑な記録ストラテジを表現することができ、同時に、良好な特性を確保することができる。
【００３２】
請求項３記載の発明は、請求項１又は２記載の情報記録方法において、記録パルスの個数ｍがｍ≧２の場合において、ｉ番目の記録パルスと（ｉ−１）番目の記録パルスとの立上り周期をＴｄ（ｎ，ｉ）とするとき、第１の記録パルスのパルス幅Ｔｍｐ（ｎ，１）を
Ｔｄ（ｎ，２）≦Ｔｍｐ（ｎ，１）
とした。
【００３３】
従って、Ｔｄ（ｎ，２）≦Ｔｍｐ（ｎ，１）なる関係を満たすよう第１の記録パルスをステップ状とすることにより、時間的長さｎＴを規定するｎによる記録マークのパワー依存性を低減させることができ、パワーマージンを広く保つことができる。
【００３４】
請求項４記載の発明は、請求項３記載の情報記録方法において、Ｔｍｐ（ｎ，１）≦Ｔｍｐ（ｎ，２）とした。
【００３５】
従って、１番目の記録パルスの直後のバイアスパルスを無くすことができる。
【００３６】
請求項５記載の発明は、請求項１ないし４の何れか一記載の情報記録方法において、記録パルスの個数ｍがｍ≧２の場合において、ｉ番目の記録パルスと（ｉ−１）番目の記録パルスとの立上り周期をＴｄ（ｎ，ｉ）とするとき、最終の立上り周期Ｔｄ（ｎ，ｍ）、最終直前の記録パルスのパルス幅Ｔｍｐ（ｎ，ｍ−１）を
Ｔｄ（ｎ，ｍ）≦Ｔｍｐ（ｎ，ｍ−１）
とした。
【００３７】
従って、Ｔｄ（ｎ，ｍ）≦Ｔｍｐ（ｎ，ｍ−１）なる関係を満たすよう最終の記録パルスをステップ状とすることにより、時間的長さｎＴを規定するｎによる記録マークのパワー依存性を低減させることができ、パワーマージンを広く保つことができる。
【００３８】
請求項６記載の発明は、請求項１ないし５の何れか一記載の情報記録方法において、記録パルスの個数ｍがｍ≧２の場合において、ｉ番目の記録パルスと（ｉ−１）番目の記録パルスとの立上り周期をＴｄ（ｎ，ｉ）とするとき、最終の記録パルスのパルス幅Ｔｍｐ（ｎ，ｍ）、最終直前の記録パルスのパルス幅Ｔｍｐ（ｎ，ｍ−１）を
Ｔｍｐ（ｎ，ｍ）≧Ｔｍｐ（ｎ，ｍ−１）
とした。
【００３９】
従って、ｍ番目（即ち、最終の）記録パルスの直前のバイアスパルスを無くすことができる。
【００４０】
請求項７記載の発明は、請求項１ないし６の何れか一記載の情報記録方法において、記録パルス及びバイアスパルス以外のタイミングでは、パワーＰｅ（ただし、Ｐｗ（ｎ，ｉ）＞Ｐｅ＞Ｐｂ）のイレースレベル光を前記情報記録媒体に照射し、
ｍ番目の記録パルスの立上りからイレースレベルの立上りまでの周期をＴｌｐ（ｎ）とするとき、
Ｔｌｐ（ｎ）≦Ｔｍｐ（ｎ，ｍ）、かつ、
Ｐｅ≦Ｐｗ（ｎ，ｍ）≦１．２Ｐｅ
とした。
【００４１】
従って、最終の記録パルスをステップ状とすることにより、時間的長さｎＴを規定するｎによる記録マークのパワー依存性を低減させることができ、パワーマージンを広く保つことができる。
【００４２】
請求項８記載の発明は、パルス状の光を情報記録媒体に照射することにより、記録マークの時間的長さがｎＴ（Ｔ：基本クロック周期、ｎは３以上の自然数）で表される情報を前記情報記録媒体に対して記録する情報記録装置において、前記情報記録媒体に対して照射する光ビームを発するレーザ光源と、このレーザ光源を発光させる光源駆動手段と、前記レーザ光源が発する光ビームの発光波形に関する記録ストラテジが設定されて前記光源駆動手段を制御する発光波形制御手段と、前記情報記録媒体とこの情報記録媒体に照射される前記光ビームとを相対的に移動させる相対移動制御手段と、を備え、前記発光波形制御手段は、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、第１の記録パルスのパルス幅をＴｍｐ（ｎ，１）＝Ｔｍｐ（ｎ＋ｊ，１）とし、又は、第１の記録パルスの記録パワーをＰｗ（ｎ，１）＝Ｐｗ（ｎ＋ｊ，１）とする記録ストラテジを用いるようにした。
【００４３】
従って、記録パルスと組み合わされるバイアスパルスの数ｋと記録マークの時間的長さｎＴを規定するｎとの関係から、第１の記録パルスの立上り時間、照射時間又は照射パワーが制御され、かつ、統一されるため、少ないパラメータで複雑な記録ストラテジを表現することができ、同時に、良好な特性を確保することができる。
【００４４】
請求項９記載の発明は、パルス状の光を情報記録媒体に照射することにより、記録マークの時間的長さがｎＴ（Ｔ：基本クロック周期、ｎは３以上の自然数）で表される情報を前記情報記録媒体に対して記録する情報記録装置において、前記情報記録媒体に対して照射する光ビームを発するレーザ光源と、このレーザ光源を発光させる光源駆動手段と、前記レーザ光源が発する光ビームの発光波形に関する記録ストラテジが設定されて前記光源駆動手段を制御する発光波形制御手段と、前記情報記録媒体とこの情報記録媒体に照射される前記光ビームとを相対的に移動させる相対移動制御手段と、を備え、前記発光波形制御手段は、時間的長さｎＴの記録マークを記録する際、ｉ番目の記録パワーがＰｗ（ｎ，ｉ）のｍ個（ただし、ｉ，ｍは１≦ｉ≦ｍ，ｍ≦ｎなる自然数）の記録パルスとパワーＰｂのｋ個（ただし、Ｐｂ＜Ｐｗ（ｎ，ｉ），ｋはｋ≦ｍなる自然数）のバイアスパルスとによるパルス状の光を照射し、かつ、これらの記録パルス中の第１の記録パルスを当該記録するデータの開始エッジから時間的にＴｄ（ｎ，１）だけ遅延させて照射し、かつ、記録マークの時間的長さｎＴがｊＴ（ｊは２以上の自然数であるｎ，ｍ，ｋによらない定数，ｍ（ｎ＋ｊ）＝ｍ（ｎ）＋１，ｋ（ｎ＋ｊ）＝ｋ（ｎ）＋１）増加する毎に、前記記録パルスの数と前記バイアスパルスの数とを各々１個ずつ増加させる条件下に、最終の記録パルスのパルス幅をＴｍｐ（ｎ，ｍ）＝Ｔｍｐ（ｎ＋ｊ，ｍ＋１）とし、又は、最終の記録パワーをＰｗ（ｎ，ｍ）＝Ｐｗ（ｎ＋ｊ，ｍ＋１）とする記録ストラテジを用いるようにした。
【００４５】
従って、記録パルスと組み合わされるバイアスパルスの数ｋと記録マークの時間的長さｎＴを規定するｎとの関係から、最終の記録パルスの照射時間又は照射パワー制御され、かつ、統一されるため、少ないパラメータで複雑な記録ストラテジを表現することができ、同時に、良好な特性を確保することができる。
【００４６】
請求項１０記載の発明は、請求項８又は９記載の情報記録装置において、前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、第１の記録パルスのパルス幅Ｔｍｐ（ｎ，１）を
Ｔｄ（ｎ，２）≦Ｔｍｐ（ｎ，１）
とした。
【００４７】
従って、Ｔｄ（ｎ，２）≦Ｔｍｐ（ｎ，１）なる関係を満たすよう第１の記録パルスをステップ状とすることにより、時間的長さｎＴを規定するｎによる記録マークのパワー依存性を低減させることができ、パワーマージンを広く保つことができる。
【００４８】
請求項１１記載の発明は、請求項１０記載の情報記録装置において、前記発光波形制御手段は、記録ストラテジを、Ｔｍｐ（ｎ，１）≦Ｔｍｐ（ｎ，２）とする。
【００４９】
従って、１番目の記録パルスの直後のバイアスパルスを無くすことができる。
【００５０】
請求項１２記載の発明は、請求項８ないし１１の何れか一記載の情報記録装置において、前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、最終の立上り周期Ｔｄ（ｎ，ｍ）、最終直前の記録パルスのパルス幅Ｔｍｐ（ｎ，ｍ−１）を
Ｔｄ（ｎ，ｍ）≦Ｔｍｐ（ｎ，ｍ−１）
とした。
【００５１】
従って、Ｔｄ（ｎ，ｍ）≦Ｔｍｐ（ｎ，ｍ−１）なる関係を満たすよう最終の記録パルスをステップ状とすることにより、時間的長さｎＴを規定するｎによる記録マークのパワー依存性を低減させることができ、パワーマージンを広く保つことができる。
【００５２】
請求項１３記載の発明は、請求項８ないし１２の何れか一記載の情報記録装置において、前記発光波形制御手段は、記録ストラテジを、記録パルスの個数ｍがｍ≧２の場合において、ｉ番目の記録パルスと（ｉ−１）番目の記録パルスとの立上り周期をＴｄ（ｎ，ｉ）とするとき、最終の記録パルスのパルス幅Ｔｍｐ（ｎ，ｍ）、最終直前の記録パルスのパルス幅Ｔｍｐ（ｎ，ｍ−１）を
Ｔｍｐ（ｎ，ｍ）≧Ｔｍｐ（ｎ，ｍ−１）
とした。
【００５３】
従って、ｍ番目（即ち、最終の）記録パルスの直前のバイアスパルスを無くすことができる。
【００５４】
請求項１４記載の発明は、請求項８ないし１３の何れか一記載の情報記録装置において、前記発光波形制御手段は、記録ストラテジを、記録パルス及びバイアスパルス以外のタイミングでは、パワーＰｅ（ただし、Ｐｗ（ｎ，ｉ）＞Ｐｅ＞Ｐｂ）のイレースレベル光を前記情報記録媒体に照射し、ｍ番目の記録パルスの立上りからイレースレベルの立上りまでの周期をＴｌｐ（ｎ）とするとき、
Ｔｌｐ（ｎ）≦Ｔｍｐ（ｎ，ｍ）、かつ、
Ｐｅ≦Ｐｗ（ｎ，ｍ）≦１．２Ｐｅ
とした。
【００５５】
従って、最終の記録パルスをステップ状とすることにより、時間的長さｎＴを規定するｎによる記録マークのパワー依存性を低減させることができ、パワーマージンを広く保つことができる。
【発明の効果】
【００５６】
請求項１，８記載の発明によれば、記録パルスと組み合わされるバイアスパルスの数ｋと記録マークの時間的長さｎＴを規定するｎとの関係から、第１の記録パルスの立上り時間、照射時間又は照射パワーが制御され、かつ、統一されるため、少ないパラメータで複雑な記録ストラテジを表現することができ、同時に、良好な特性を確保することができる。
【００５７】
請求項２，９記載の発明によれば、記録パルスと組み合わされるバイアスパルスの数ｋと記録マークの時間的長さｎＴを規定するｎとの関係から、最終の記録パルスの照射時間又は照射パワーが制御され、かつ、統一されるため、少ないパラメータで複雑な記録ストラテジを表現することができ、同時に、良好な特性を確保することができる。
【００５８】
請求項３，１０記載の発明によれば、Ｔｄ（ｎ，２）≦Ｔｍｐ（ｎ，１）なる関係を満たすよう第１の記録パルスをステップ状とすることにより、時間的長さｎＴを規定するｎによる記録マークのパワー依存性を低減させることができ、パワーマージンを広く保つことができる。
【００５９】
請求項４，１１記載の発明によれば、１番目の記録パルスの直後のバイアスパルスを無くすことができる。
【００６０】
請求項５，１２記載の発明によれば、Ｔｄ（ｎ，ｍ）≦Ｔｍｐ（ｎ，ｍ−１）なる関係を満たすよう最終の記録パルスをステップ状とすることにより、時間的長さｎＴを規定するｎによる記録マークのパワー依存性を低減させることができ、パワーマージンを広く保つことができる。
【００６１】
請求項６，１３記載の発明によれば、ｍ番目（即ち、最終の）記録パルスの直前のバイアスパルスを無くすことができる。
【００６２】
請求項７，１４記載の発明によれば、最終の記録パルスをステップ状とすることにより、時間的長さｎＴを規定するｎによる記録マークのパワー依存性を低減させることができ、パワーマージンを広く保つことができる。
【発明を実施するための最良の形態】
【００６３】
本発明の一実施の形態を図面に基づいて説明する。
【００６４】
［情報記録媒体の物理的構造］
本実施の形態の情報記録媒体としては、基本的には、ＣＤ−ＲＷ，ＤＶＤ−ＲＷ，ＤＶＤ＋ＲＷ，ＤＶＤ−ＲＡＭ，Blu-ray Disc等に代表される書換え型の相変化型光情報記録媒体に適用可能である。
【００６５】
図４にこのような書換え型で相変化型の光情報記録媒体１の物理的な具体的構成例を示す。この光情報記録媒体１は、基板２に下部保護層３、記録層４、上部保護層５、反射層６を積層することにより構成されている。基板２は当該媒体を物理的に保持する機能を有するため、機械的強度が十分に確保できる厚さと材質である必要がある。また、ＣＤ互換媒体やＤＶＤ互換媒体の場合は、記録及び再生に用いる光が基板を透過して記録層近傍に照射されるため、記録・再生に用いる光の波長領域で略透明であることが必要である。このような材料としては、ガラス，セラミックス等の無機物や樹脂等の有機物を用いることができるが、ＣＤ−ＲＷ，ＤＶＤ−ＲＷ，ＤＶＤ＋ＲＷ，ＤＶＤ−ＲＷ等ではポリカーボネート樹脂が強度と生産性及び光学的特性から好ましい。また、基板２の薄膜積層側に記録光の位置決めのための案内溝を設けても良い。
【００６６】
下部保護層３は記録及び書換え（オーバーライト）時に記録層近傍に発生する熱から基板２を保護すると同時に記録層４材料の基板２への原子拡散を防止する働きを持つ。上部保護層５は反射層６への記録層４材料の拡散を防止し、反射層６材料の記録層４への原子拡散を防止する働きがある。また、情報記録及びオーバーライト時に記録層４近傍に発生する熱を反射層６への熱拡散を制御する機能を有する。即ち、媒体の熱設計を調整することが可能である。
【００６７】
上部保護層５・下部保護層３の材料は光学的・熱的特性及び隣接する層との化学的な反応性などから決定される。例としては、Ｓｉ，Ｇｅ等の半導体や、金属酸化物，金属窒化物，金属硫化物などの化合物があり、化合物の例としては、ＳｉＯ２，Ａｌ２Ｏ３，ＺｒＯ２，ＴｉＯ２，Ｙ２Ｏ３，ＺｎＯ，ＳｎＯ２，ＩｎＯ２，ＳｉＮ，ＧｅＮ，ＡｌＮ，ＺｎＳ，ＺｎＳｅが挙げられる。保護層５，３を構成材料はこれらの単体でも、２種類以上の混合物でも良く、上部・下部保護層５，３共に多層としても良い。これらの中で最も広く用いられているものとして、ＺｎＳとＳｉＯ２の混合物が挙げられる。特にＳｉＯ２を２０モルパーセントの比率で混合したものが一般的である。
【００６８】
反射層６は再生光を反射する機能を有する。そのため、高反射率な材料を用いることが必要であり、金属又は合金を用いるのが好ましい。金属の例としては、Ａｇ，Ａｌ，Ａｕ，Ａｌ，Ｃｕなどが、反射率が高いと同時に化学的安定性から好ましい。また、これらの金属に任意の金属を添加し、合金とすることで光学的特性や熱的特性，化学的安定性をさらに向上することができる。また、上部保護層５と化学的に反応してしまう場合は、上部保護層５との間に腐食防止層を設けても良い。
【００６９】
反射層５の上部にはオーバーコート層を設け、媒体を物理的損傷から保護しても良く、また、接着層を介して基板２を反射層６上部に貼り合せても良い。
【００７０】
このような構成の光情報記録媒体１への情報の記録は記録層４近傍に集光した光を照射及び走査することで行う。記録に用いる光の波長は媒体の情報の密度、即ち最小マークサイズやトラックピッチによって最適な波長が選択される。例としてはトラックピッチ１．６μｍのＣＤ−ＲＷでは、波長７８０ｎｍ程度であり、トラックピッチ０．７４μｍのＤＶＤ系媒体では、波長６６０ｎｍ程度の光を用いる。これらの光は強度変調が可能であることが必要であり、半導体レーザを用いる。また、これらの光を集光する対物レンズのＮＡも媒体の記録密度や基板板厚によって決定される。例えば、前述のＣＤ−ＲＷではＮＡ０．５０であり、ＤＶＤ＋ＲＷでは０．６５である。
【００７１】
［情報記録方法］
本実施の形態の情報記録方法は、前述したような光情報記録媒体１に上述したような光学系を用いて強度変調した光を照射及び走査することで行う。走査速度は光情報記録媒体１の記録密度と記録速度によって決定されるが、基本クロック周期Ｔと走査速度ｖの積は常に一定である必要がある。即ち、
ｖ×Ｔ＝一定
とする必要がある。また、記録される情報は、パルス幅変調（ＰＷＭ）の一種である、マーク長・マーク間長変調方式である必要があり、例としてＣＤ−ＲＷ系のＥＦＭ（８−１４変調）やＤＶＤ系のＥＦＭ＋（８−１６変調の一種）が挙げられる。即ち、光情報記録媒体１上に基本クロック周期Ｔに自然数ｎ（本実施の形態では３以上）を乗じた時間的長さのｎＴのマークとマーク長を形成することで記録を行う。
【００７２】
記録マークを形成する時は、強度変調したパルス状の光を照射することで行う。より具体的には、長さｎＴのマークを記録する場合はｍ個の記録パルスとｋ個のバイアスパルスとを照射することで行う。ここで、ｍ及びｋはともにｎ以下の自然数であり、ｋ≦ｍ≦ｎである。
【００７３】
また、ｍ個の記録パルスのうちｉ番目（ｉは１≦ｉ≦ｍの自然数）の記録パルスの照射時間はＴｍｐ（ｎ，ｉ）で表され、照射パワーはＰｗ（ｎ，ｉ）で表される。また、データの開始エッジ部分から１番目のパルスの照射開始時間までの時間をＴｄ（ｎ，１）で表し、ｉ番目のパルスの照射開始時間までの周期をＴｄ（ｎ，２）で表す。また、これらの記録パルスの間の時間はパワーＰｂのバイアスパルスとなる。さらに、最終のｍ番目の記録パルスの後にバイアスパルスが追加されても良い。これらの記録パルス及びバイアスパルス以外の領域はＰ＝Ｐｅで照射されるイレースレベルとなる。ｍ番目の記録パルスからイレースパルスの立上りまでの時間をＴｌｐ（ｎ）で表す。このとき、Ｐｗ（ｎ，ｉ）＞Ｐｅ＞Ｐｂであることが必要である。
【００７４】
いま、ｎ＝９の場合を例にとり、本実施の形態の具体的な発光パターン（記録ストラテジ）について説明する。
【００７５】
まず、図５（ｂ）にｎ＝９，ｍ＝３，ｋ＝３の場合の発光パターン例を示す。第１の記録パルスは図５（ａ）に示すデータの立上りエッジ部分からＴｄ（９，１）だけ遅れて立上り、パワーＰｗ（９，１）で時間Ｔｍｐ（９，１）だけ照射される。さらに、１番目のパルスの立上りからＴｄ（９，２）だけ遅れて２番目の記録パルスが時間Ｔｍｐ（９，２），パワーＰｗ（９，２）で照射される、２番目の記録パルスの立上りからＴｄ（９，３）だけ遅れて３番目の記録パルスが時間Ｔｍｐ（９，３），パワーＰｗ（９，３）で照射される。３番目の記録パルスの立上りからＴｌｐ（９）だけ遅れてイレースレベルが照射される。これらの記録パルスの直後にはＰ＝Ｐｂであるバイアスパルスが照射され、記録パルスとバイアスパルス以外の領域はＰ＝Ｐｅのイレースレベルが照射される。
【００７６】
このとき、パルス状の光として、記録パワーＰｗの記録パルスとバイアスパワーＰｂのバイアスパルスとが交互に出てくることが重要である。即ち、記録パルス部分で記録層４が溶融しバイアスパルス部分で急冷されるために、記録層４はアモルファス状態となる。即ち、記録マークが形成される。一方、イレースレベルで照射される場合には記録層４は結晶化温度以上に加熱保持されるため、結晶化状態となる。
【００７７】
また、図５（ｃ）に示すように、最終であるｍ番目（図示例の場合は、ｍ＝４）のパルス幅Ｔｍｐ（ｎ，ｍ）＝Ｔｍｐ（９，４）＝Ｔｌｐ（ｎ）＝Ｔｌｐ（９）（又は、Ｔｍｐ（ｎ，ｍ）＝Ｔｍｐ（９，４）＜Ｔｌｐ（ｎ）＝Ｔｌｐ（９））とすることで、最後のバイアスパルスを無くしても良い。
【００７８】
さらに、ｍ番目の記録パルスの照射パワーＰｗ（ｎ，ｍ）をイレースレベルＰｅに対して、
Ｐｅ＜Ｐｗ（ｎ，ｍ）＜１．２Ｐｅ
とすることで、ｍ番目の記録パルスをイレースレベルのエッジと位置づけることができる。即ち、イレースレベルの立上り箇所を明確にすることで、マーク終端部のエッジを制御でき、より良好なジッタを実現することができる。Ｐｗ（ｎ，ｍ）がこのような範囲を超えた場合は、ｍ番目の記録パルスで媒体の記録層が溶融し、アモルファス化が発生してしまうので、好ましくない。
【００７９】
また、図５（ｄ）に示すように、１番目のパルス幅Ｔｍｐ（ｎ，１）＝Ｔｍｐ（９，１）＝Ｔｄ（ｎ，２）＝Ｔｄ（９，２）（又は、Ｔｍｐ（ｎ，１）＝Ｔｍｐ（９，１）＞Ｔｄ（ｎ，２）＝Ｔｄ（９，２））としてその記録パワーをＰｗ（９，１）＞Ｐｗ（９，２）の如くステップ状として連続させることで、１番目の記録パルスの後のオフパルス（バイアスパルス）を無くしても良い。
【００８０】
さらに、図５（ｅ）に示すように、Ｔｍｐ（ｎ，ｍ−１）＝Ｔｍｐ（９，３）＝Ｔｄ（ｎ，ｍ）＝Ｔｄ（９，４）（又は、Ｔｍｐ（ｎ，ｍ−１）＝Ｔｍｐ（９，３）＞Ｔｄ（ｎ，ｍ）＝Ｔｄ（９，４））とし最終の記録パルスのパワーをＰｗ（９，３）＜Ｐｗ（９，４）の如くステップ状として連続させることで、ｍ番目（即ち、最終の）記録パルスの直前のバイアスパルスを無くしてもよい。
【００８１】
ところで、図５（ｃ）〜（ｅ）に示した発光パターン（記録ストラテジ）例では記録パルスの数ｍとバイアスパルスの数ｋとは一致していない。しかし、１番目の記録パルスの波形と最終パルスの波形とを調整することで記録マークの長さを調整している。即ち、本実施の形態の情報記録方法においては、１番目の記録パルスの記録ストラテジの要素（Ｐｗ（ｎ，１），Ｔｄ（ｎ，１），Ｔｍｐ（ｎ，１））と最終なるｍ番目の記録パルスの記録ストラテジの要素（Ｐｗ（ｎ，ｍ），Ｔｄ（ｎ，ｍ），Ｔｍｐ（ｎ，ｍ））とがマーク長を決定する最も重要な因子である。つまり、１番目の記録パルスは直前のスペース長を制御し、ｍ番目の記録パルスは当該マーク長を制御することになり、これらの２つのパルス以外の中間の記録パルスは特別細かく制御する必要がない。
【００８２】
また、本実施の形態の情報記録方法においては、その記録条件として、さらに、マーク長がｊＴだけ長くなる毎に（ここでjは２以上の自然数）、記録パルスの数ｍとバイアスパルスの数ｋとが各々１ずつ増加する必要がある。ｊ＝２の場合の基本的なパターン例を図１に示し、ｊ＝３の場合を図６に示す。各々、ｊＴだけマーク長が長くなる毎に記録パルスの数ｍとバイアスパルスの数ｋとが１ずつ増加していることが分かる。
【００８３】
即ち、ｊＴは記録パルス及びバイアスパルスを１組としたときの、その平均的な周期を表すことになる。即ち、図１の例の場合であれば平均的周期は２Ｔであり、図６の例の場合であれば平均的な周期は３Ｔとなっている。
【００８４】
このような条件下に、本実施の形態の情報記録方法においては、
Ｔｄ（ｎ，１）＝Ｔｄ（ｎ＋ｊ，１）
とすることが必要である。
【００８５】
即ち、ｊ＝２なる図１の例では、ｎ＝偶数の場合にＴｄ（ｎ，１）は同一の値とし、ｎ＝奇数の場合にＴｄ（ｎ，１）は同一の値とする。さらに、ｊ＝３なる図６の例の場合は、ｎ＝３，６，９のときにＴｄ（ｎ，１）は同一の値とし、ｎ＝４，７，１０のときにＴｄ（ｎ，１）は同一の値とし、ｎ＝５，８，１０のときにＴｄ（ｎ，１）は同一の値とする。
【００８６】
このように設定することにより、従来の１Ｔ増加する毎に、パルスを１組増加させる記録方法を、パルス数の少ない記録方法に適用することになり、記録パワーに対するマーク長依存性を最低限に抑えることができる。これにより、従来は個別に設定していたパラメータを、特性を確保しつつ統一することが可能となったものである。
【００８７】
さらに、Ｔｄ（ｎ，１）＝Ｔｄ（ｎ＋ｊ，１）とするのに代えて、パルス幅又は発光パワーに関して、
Ｔｍｐ（ｎ，１）＝Ｔｍｐ（ｎ＋ｊ，１）、又は、
Ｐｗ（ｎ，１）＝Ｐｗ（ｎ＋ｊ，１）
とすることで（両方でもよいが、少なくとも一方が成立すればよい）、前述の遅延時間Ｔｄの制御と同等の効果を１番目の記録パルスの照射エネルギー量（パワー×時間）で制御することが可能となる。
【００８８】
さらに、Ｔｄ（ｎ，１）＝Ｔｄ（ｎ＋ｊ，１）とするのに代えて、最終のパルス幅又は発光パワーに関して、
Ｔｍｐ（ｎ，ｍ）＝Ｔｍｐ（ｎ＋ｊ，ｍ＋１）、又は、
Ｐｗ（ｎ，ｍ）＝Ｐｗ（ｎ＋ｊ，ｍ＋１）
とすることで（両方でもよいが、少なくとも一方が成立すればよい）、前述の遅延時間Ｔｄの制御と同等の効果を最終パルスの照射エネルギー量（パワー×時間）で制御することが可能となる。
【００８９】
［光情報記録媒体へのプリフォーマット］
このような記録ストラテジに関するパラメータ（例えば、後述の実施例のように、ｎ／ｋの余りに対するＴｄ（ｎ，１）の値や、Ｔｍｐ（ｎ，１）又はＰｗ（ｎ，１）の値や、Ｔｍｐ（ｎ，ｍ）又はＰｗ（ｎ，ｍ）の値）を光情報記録媒体１にプリフォーマットしておくことで、光ディスクドライブとの互換性を高めることが可能となる。即ち、光ディスクドライブドライブは光情報記録媒体１にプリフォーマットされたこれらの情報を記録動作前に読み出すことで、最適な記録を行うことができる。プリフォーマットの方法としては、ＣＤ−ＲＷのＡＴＩＰエクストラインフォメーションやＤＶＤ＋ＲＷのフィジカルインフォメーションなどが例として挙げられる。
【００９０】
本実施の形態は、光情報記録媒体にこれらのパラメータをプリフォーマットしておくことを特徴の一つとする。
【００９１】
プリフォーマットは任意の手法を用いることができるが、プリピット法、ウォブルエンコード法、フォーマット法がある。プリピット法は光情報記録媒体上の任意の領域にＲＯＭピットを用いて記録条件に関する情報をプリフォーマットする手法である。基板成形時にＲＯＭピットが形成されるため量産性に優れ、かつ、ＲＯＭピットを用いているので、再生信頼性及び情報量の点で有利である。しかし、ＲＯＭピットを形成する技術（即ち、ハイブリッド技術）は課題が多く、ＲＷ系のプリピットによるプリフォーマット技術は困難とされている。
【００９２】
フォーマット法は、光情報記録装置を用いて通常の記録と同様の手法を用いて情報を記録しておくものである。しかし、この手法は、光情報記録媒体を製造後、各媒体にフォーマットを施す必要があり、量産性の点から困難である。さらに、プリフォーマット情報を書換えることが可能であるため、媒体固有の情報を記録する手法としては適切ではない。
【００９３】
ウォブルエンコード法は、ＣＤ−ＲＷ，ＤＶＤ＋ＲＷで実際に採用されている手法である。この手法は光情報記録媒体のアドレス情報をグルーブ（媒体上の案内溝）のウォブリングにエンコードする技術を利用している。エンコードの方法としては、ＣＤ−ＲＷのＡＴＩＰのように周波数変調を用いても、ＤＶＤ＋ＲＷのように位相変調を用いても良い。ウォブルエンコード法は、光情報記録媒体の基板成形時にアドレス情報と一緒に基板に作成されるため、生産性に優れると同時に、プリピット法のような特殊なＲＯＭピットを形成する必要がないため、基板成形も容易に行えるという利点がある。
【００９４】
いま、上述したような記録ストラテジに関するパラメータのプリフォーマット例について、ＣＤ−ＲＷの例で説明する。図７及び図８にＣＤ−ＲＷ規格の光情報記録媒体１の各領域のフォーマット例を示す。円盤状の光情報記録媒体１において、グルーブが形成されたグルーブ形成領域には、半径方向内周側から外周側に向けて、内周部未使用領域１２、テスト記録領域１３、リードイン領域１４、情報記録領域１５、リードアウト領域１６、外周部未使用領域１７が順に割当てられている。
【００９５】
このようなＣＤ−ＲＷなる光情報記録媒体１の場合、プリフォーマットされるメディア情報はATIP Extra Informationである。ATIP Extra Informationはアドレス情報を示すＡＴＩＰを利用した手法である。ＡＴＩＰはＣＤ−ＲＷディスクにプリフォーマットされたアドレス情報である。ＣＤ系のディスクは音楽情報媒体がベースとなった経緯からアドレスは時間情報として表されるため、Ｍ：Ｓ：Ｆで表される。ここで、Ｍは分であり、規格上００〜９９の範囲をとることが可能であり、Ｓは秒に相当し、００〜５９の範囲をとり、Ｆはフレームであり、００〜７４の範囲をとる。１分＝６０秒であり、１秒＝７５フレームに相当する。Ｍ，Ｓ，Ｆには各々８bitの情報が与えられるため、１ＡＴＩＰフレームの情報量は２４bitとなる。Ｍ，Ｓ，Ｆ各々について、０〜２５５の値を与えることが可能であるが、実際には前述の範囲しか利用していない。そのため、使用していないbitを利用すればアドレス以外の情報を付加することが可能となる。この方法を利用したのがATIP Extra Informationである。
【００９６】
ところで、ウォブルエンコードによる手法では、他の手法と比較すると絶対的な情報量が少なくなる傾向にある。通常、ウォブル周波数は記録情報の周波数に対して、相互干渉が起こらない周波数帯域をとる。周波数で３０分の１以下、さらに好ましくは１００分の１以下である。さらに、変調方式に周波数変調を用いるとさらに情報密度が低下し、ＣＤ−ＲＷのATIP EXTRA INFORMAITIONのように、アドレス情報の冗長性を利用した場合はさらに情報密度が低下してしまう。
【００９７】
もっとも、情報量が不足した場合は、新たな領域を設けても良い。ＣＤ−ＲＷの場合は、リードイン領域１４にATIP EXTRA INFORMATIONがエンコードされているが、この領域のみで不足する場合は、ディスク内周部又は外周部の未使用領域１２又は１７にエンコードしても良い。未使用領域１２，１７の例としては、ＰＣＡ（Power Calibration Area＝テスト記録領域）よりも内周部やリードアウト領域１６の外周部を挙げることができる。
【００９８】
また、エンコードされるパラメータは、実数を２進数に変換した値をエンコードしてもよく、変換テーブルを用いて変換した情報をエンコードしても良い。ただし、何れの方法を用いても情報記録装置上では、エンコードした情報をデコードし、正しく記録ストラテジを設定することができる手段が必要である。
【００９９】
［情報記録装置］
次に、前述したような記録ストラテジによる情報記録方法を実現するための情報記録装置の構成例ついて、図９を参照して説明する。
【０１００】
まず、ＣＤ−ＲＷなる光情報記録媒体１に対して、この光情報記録媒体１を回転駆動させるスピンドルモータ２１を含む回転制御機構２２が設けられているとともに、光情報記録媒体１に対してレーザ光を集光照射させる対物レンズや半導体レーザＬＤ２３等のレーザ光源を備えた光ヘッド２４がディスク半径方向にシーク移動自在に設けられている。光ヘッド２４の対物レンズ駆動装置や出力系に対してはアクチュエータ制御機構２５が接続されている。このアクチュエータ制御機構２５にはプログラマブルＢＰＦ２６を含むウォブル検出部２７が接続されている。ウォブル検出部２７には検出されたウォブル信号からアドレスを復調するアドレス復調回路２８が接続されている。このアドレス復調回路２８にはＰＬＬシンセサイザ回路２９を含む記録クロック生成部３０が接続されている。ＰＬＬシンセサイザ回路２９には相対移動制御手段としてのドライブコントローラ３１が接続されている。
【０１０１】
システムコントローラ３２に接続されたこのドライブコントローラ３１には、回転制御機構２２、アクチュエータ制御機構２５、ウォブル検出部２７及びアドレス復調回路２８も接続されている。
【０１０２】
また、システムコントローラ１７はＣＰＵ等を備えた、いわゆるマイコン構成のものであり、例えば記録ストラテジに関するパラメータが格納された変換テーブル３３ａ等を含むＲＯＭ３３を備えている。また、このシステムコントローラ１７には、ＥＦＭエンコーダ３４、マーク長カウンタ３５、パルス数制御部３６が接続されている。これらのＥＦＭエンコーダ３４、マーク長カウンタ３５、パルス数制御部３６及びシステムコントローラ１７には、発光波形制御手段となる記録パルス列制御部３７が接続されている。この記録パルス列制御部３７は、記録ストラテジにより規定されるマルチパルス（記録パルス、バイアスパルス）を生成するマルチパルス生成部３８と、エッジセレクタ３９と、パルスエッジ生成部４０とが含まれている。
【０１０３】
この記録パルス列制御部３７の出力側には、記録パワーＰｗ，消去パワーＰｅ、バイアスパワーＰｂの各々の駆動電流源４１をスイッチングすることで光ヘッド２４中の半導体レーザＬＤ２３を駆動させる光源駆動手段としてのＬＤドライバ部４２が接続されている。
【０１０４】
このような構成において、光情報記録媒体１に記録するためには、目的の記録速度に対応する記録線速度となるようにスピンドルモータ２１の回転数をドライブコントローラ３１による制御の下、回転制御機構２２により制御した後に、光ヘッド２４から得られるプッシュプル信号からプログラマブルＢＰＦ２６によって分離検出されたウォブル信号からアドレス復調するとともに、ＰＬＬシンセサイザ回路２９によって記録チャネルクロックを生成する。次に、半導体レーザＬＤ２３による記録パルス列を発生させるため、記録パルス列制御部３７には記録チャネルクロックと記録情報であるＥＦＭデータが入力され、記録パルス列制御部３７中のマルチパルス生成部３８により図５等に示したような記録ストラテジに従うマルチパルスを生成し、ＬＤドライバ部４２で前述のＰｗ，Ｐｅ，Ｐｂなる各々の照射パワーとなるように設定された駆動電流源４１をスイッチングすることで、記録パルス列に従うＬＤ発光波形を得ることができる。
【実施例】
【０１０５】
［実施例１］
螺旋状の連続グルーブを転写したＤＶＤ基板１に、下部保護層３、記録層４、上部保護層５、反射層６、オーバーコート層を順次積層し、その後、接着層を介して同基板と貼り合わせてＤＶＤ＋ＲＷディスクを作成した。下部保護層３及び上部保護層５にはＺｎＳとＳｉＯ２の混合物を用いた。このときのＳｉＯ２含有量は２０モルパーセントであり、下部保護層３の膜厚は６０ｎｍ、上部保護層５の膜厚は１２ｎｍとした。記録層４には、ＤＶＤの８倍速相当で記録可能な記録層材料として、ＧｅＳｂＳｎ合金を用いた。その組成比はＧｅ１３．６原子パーセント，Ｓｂ６６．４原子パーセント，Ｓｎ２０．０原子パーセントとし、膜厚は１２ｎｍとした。反射層６にはＡｇを用い、その膜厚は１５０ｎｍとした。これらの層は真空成膜法の一種であるマグネトロンスパッタリング法で成膜した。
【０１０６】
オーバーコート層には市販の光ディスク用紫外線硬化樹脂をスピンコーティング法にて塗布後、紫外線を照射して硬化させることで形成した。オーバーコート層上に、同様に光ディスク用接着剤を塗布し、ＤＶＤ基板を貼り合わせた。
【０１０７】
作成したディスクを、ＤＶＤ用初期化装置で全面初期化しＤＶＤ＋ＲＷサンプルを得た。サンプルは未記録状態でＤＶＤ＋ＲＷ規格を満足する良好な特性を示した。
【０１０８】
このサンプルに情報記録を行った。情報記録装置は市販のＤＶＤ＋ＲＷ記録・再生信号評価装置であるパルステック工業製ＤＤＵ１０００を用いた。使用した光ピックアップの仕様は、
λ＝６６０ｎｍ，ＮＡ０．６５。
である。
【０１０９】
走査速度をＤＶＤ＋ＲＷの８倍速に相当する２７．９ｍ／ｓに設定し、チャンネルクロック（基本クロック周期）も同様に８倍速相当の２０９．２５ＭＨｚに設定した。また、記録する情報はＤＶＤの標準変調方式であるＥＦＭ＋に準拠したランダムパターンとした。
【０１１０】
記録に用いた照射パルスの基本的なパラメータを表１に示す。
【０１１１】
【表１】
2005004949.tif 000003
【０１１２】
即ち、図１に示したように記録パルスの照射周期が概ね２Ｔとなり、記録マークの長さが２Ｔ増加する毎にパルス数ｍ，ｋが１ずつ増加するものを用いた。各パルスのパラメータは、ｎ／ｊの余りが０の場合、即ち、ｎ＝偶数の場合と、ｎ／ｊの余りが１の場合、即ち、ｎ＝奇数の場合との２通りに分けてパラメータを設定した。
【０１１３】
（ａ）ｎ＝偶数の場合
Ｔｄ（ｎ，１）＝０．９Ｔ
Ｔｄ（ｎ，ｉ）＝２．０Ｔ  （２≦ｉ≦ｍ）
Ｔｍｐ（ｎ，ｉ）＝０．８Ｔ  （１≦ｉ≦ｍ）
Ｔｌｐ（ｎ）＝１．４Ｔ
（ｂ）ｎ＝奇数の場合
Ｔｄ（ｎ，１）＝１．０Ｔ
Ｔｄ（ｎ，ｉ）＝２．０Ｔ  （２≦ｉ≦ｍ−１）
Ｔｄ（ｎ，ｍ）＝２．２Ｔ  
Ｔｍｐ（ｎ，ｉ）＝０．８Ｔ  （１≦ｉ≦ｍ−１）
Ｔｍｐ（ｎ，ｍ）＝１．０Ｔ
Ｔｌｐ（ｎ）＝１．６Ｔ
即ち、ｎ／ｊの余りが０と１の場合について、各々、Ｔｄ（ｎ，１）を同一の値として設定した。また、Ｐｗ（ｎ，ｉ）＝Ｐｗと全ての記録パルスについて同一とし、Ｐｅ＝６ｍＷ，Ｐｂ＝０．７ｍＷに固定とした。また、記録回数は、ＤＶＤ＋ＲＷの標準評価条件に準じて１０回オーバーライトを行った。
【０１１４】
記録パルスのパワーＰｗを変化させた時のデータトゥクロックジッタのＰｗ依存性を図１０に示す。広い記録パワーレンジで、ＤＶＤ＋ＲＷ規格であるジッタ９％以下を十分に満足する結果となった。
【０１１５】
［比較例１］
実施例１と同一の媒体にて、ｎ＝偶数とｎ＝奇数との場合で区別せず、一律に、Ｔｄ（ｎ、１）＝１．０Ｔと設定した。実施例１と同様の条件にて記録特性の評価を行ったが、マーク間長が揃わずジッタが上昇してしまい、最低で９％以上となり、規格を満足できなかった。
【０１１６】
［実施例２］
実施例１で作成したディスクサンプルについて、実施例１と同様の記録評価を行った。ただし、記録ストラテジは表２に示す基本パラメータを設定した。
【０１１７】
【表２】
2005004949.tif 000004
【０１１８】
即ち、図６に示したように、基本的な記録パルスの周期を３Ｔとした。さらに、ｎ／ｊの余りに応じてパラメータを設定した。
【０１１９】
（ａ）余り＝０の場合：
Ｔｄ（ｎ，１）＝０．７８Ｔ
Ｔｄ（ｎ，ｉ）＝３Ｔ  （２≦ｉ≦ｍ）
Ｔｍｐ（ｎ，ｉ）＝１．１５Ｔ  （１≦ｉ≦ｍ）
Ｔｌｐ（ｎ）＝２．４Ｔ
（ｂ）余り＝１の場合：
Ｔｄ（ｎ，１）＝０．８３Ｔ
Ｔｄ（ｎ，ｍ−１）＝３Ｔ  （ｍが３以上のときのみ）
Ｔｄ（ｎ，ｍ）＝３．２Ｔ
Ｔｍｐ（ｎ，ｉ）＝１．１５Ｔ  （１≦ｉ≦ｍ）
Ｔｌｐ（ｎ）＝２．６５Ｔ
（ｃ）余り＝２の場合：
Ｔｄ（ｎ，１）＝０．８０Ｔ
Ｔｄ（ｎ，ｉ）＝３Ｔ  （２≦ｉ≦ｍ−１）
Ｔｄ（ｎ，ｍ）＝３．３５Ｔ
Ｔｍｐ（ｎ，ｉ）＝１．１５Ｔ  （１≦ｉ≦ｍ）
Ｔｌｐ（ｎ）＝２．８５Ｔ
実施例１と同様にジッタのＰｗ依存性を測定した結果を図１１に示す。実施例１と比較して、ジッタが最小となる記録パワーが約２ｍＷ低下すると同時に、ジッタの最小値が８．５％以下となった。
【０１２０】
［実施例３］
実施例１で作成した媒体に実施例２と同様に記録評価を行った。ただし、記録ストラテジのパラメータを表３の通りに設定した。
【０１２１】
【表３】
2005004949.tif 000005
【０１２２】
さらに、Ｔｄ（ｎ，２）＝Ｔｍｐ（ｎ，１）とし、１番目の記録パルスの後のバイアスパルスを無くし、Ｔｄ（ｎ，ｍ）＝Ｔｍｐ（ｎ，ｍ−１）とすることで、ｍ−１番目の記録パルスの後のバイアスパルスを無くしている。そのため、ｋ＝ｍ−２となっている。
【０１２３】
ｎ／ｊの余りに対して記録ストラテジのパラメータを以下のように設定した。
【０１２４】
（ａ）余り＝０の場合：
Ｔｄ（ｎ，１）＝０．７８Ｔ
Ｔｄ（ｎ，ｉ）＝３Ｔ  （３≦ｉ≦ｍ−１）
Ｔｍｐ（ｎ，１）＝Ｔｄ（ｎ，２）＝０．２Ｔ
Ｔｍｐ（ｎ，２）＝０．９５Ｔ
Ｔｍｐ（ｎ，ｉ）＝１．１５Ｔ  （３≦ｉ≦ｍ）
Ｔｍｐ（ｎ，ｍ−１）＝Ｔｄ（ｎ，ｍ）＝０．９５Ｔ
Ｔｍｐ（ｎ，ｍ）＝０．２Ｔ
Ｔｌｐ（ｎ）＝２．２Ｔ
Ｐｗ（ｎ，１）＝１．０６Ｐｗ
（ｂ）余り＝１の場合：
Ｔｄ（ｎ，１）＝０．８３Ｔ
Ｔｄ（ｎ，ｉ）＝３Ｔ  （３≦ｉ≦ｍ−２）
Ｔｄ（ｎ，ｍ−１）＝３．２Ｔ
Ｔｍｐ（ｎ，１）＝Ｔｄ（ｎ，２）＝０．２Ｔ
Ｔｍｐ（ｎ，２）＝０．９５Ｔ
Ｔｍｐ（ｎ，ｉ）＝１．１５Ｔ  （３≦ｉ≦ｍ）
Ｔｍｐ（ｎ，ｍ−１）＝Ｔｄ（ｎ，ｍ）＝０．９５Ｔ
Ｔｍｐ（ｎ，ｍ）＝０．２Ｔ
Ｔｌｐ（ｎ）＝２．４５Ｔ
Ｐｗ（ｎ，１）＝１．０４Ｐｗ
（ｃ）余り＝２の場合：
Ｔｄ（ｎ，１）＝０．８０Ｔ
Ｔｄ（ｎ，ｉ）＝３Ｔ  （３≦ｉ≦ｍ−２）
Ｔｄ（ｎ，ｍ−１）＝３．３５Ｔ
Ｔｍｐ（ｎ，１）＝Ｔｄ（ｎ，２）＝０．２Ｔ
Ｔｍｐ（ｎ，２）＝０．９５Ｔ
Ｔｍｐ（ｎ，ｉ）＝１．１５Ｔ  （３≦ｉ≦ｍ）
Ｔｍｐ（ｎ，ｍ−１）＝Ｔｄ（ｎ，ｍ）＝０．９５Ｔ
Ｔｍｐ（ｎ，ｍ）＝０．２Ｔ
Ｔｌｐ（ｎ）＝２．６５Ｔ
Ｐｗ（ｎ，１）＝１．０２Ｐｗ
波形作成のタイミングチャートを図１２に示す。チャンネル１には余り＝０の１番目とｍ番目のパルスのみを発生し、チャンネル２には余り＝１の１番目とｍ番目のパルスのみを発生し、チャンネル３には余り＝２の１番目とｍ番目のパルスのみを発生するようにする。さらに、チャンネル４にはその他のマルチパルスを発生し、チャンネル５にはイレースレベルを発生するようにする。
【０１２５】
チャンネル１の入力が来た場合には記録パワーを１．０６Ｐｗとし、チャンネル２の入力が来た場合には記録パワーを１．０４Ｐｗとし、チャンネル３の入力が来た場合は記録パワーを１．００２Ｐｗとするように設定した。さらに、チャンネル４に対してはＰｗとし、チャンネル５に対してはＰｅとするようにした。
【０１２６】
このようにして形成される記録ストラテジは図１２（ｇ）に示すようになる。
【０１２７】
このパターンを用いて、実施例２と同様に記録信号評価を行い、ジッタのパワー依存性を測定した。図１３に測定結果を示す。実施例２と比較すると記録パワーが低い領域でのジッタが低下し、パワーマージンが広くなっている。これは、第１パルスと最終パルスのエッジ部分にパワーを増加させた領域を設けたことにより、マーク長さのパワー依存性を抑制することができたと考えられる。
【図面の簡単な説明】
【０１２８】
【図１】ｊ＝２の場合の基本的な記録ストラテジを示す波形図である。
【図２】その場合の記録パワーＰｗ−マーク長のずれ量Ｄの特性図である。
【図３】その場合の記録パワーＰｗ−データトゥクロックジッタの特性図である。
【図４】本発明の一実施の形態の情報記録媒体の層構成を示す原理的な断面図である。
【図５】本実施の形態の記録ストラテジを特徴を示す波形図である。
【図６】ｊ＝３の場合の基本的な記録ストラテジを示す波形図である。
【図７】光情報記録媒体の領域割当てを示す平面図である。
【図８】その断面構造図である。
【図９】情報記録装置の構成例を示す概略ブロック図である。
【図１０】実施例１の場合の記録パワーＰｗ−データトゥクロックジッタの特性図である。
【図１１】実施例２の場合の記録パワーＰｗ−データトゥクロックジッタの特性図である。
【図１２】記録ストラテジ作成例を示すタイミングチャートである。
【図１３】記録パワーＰｗ−データトゥクロックジッタの特性図である。
【符号の説明】
【０１２９】
１      情報記録媒体
２２      回転駆動機構
２３      レーザ光源
３１      相対移動制御手段
３７      発光波形制御手段
４２      光源駆動手段
【図１】
2005004949.tif 000006
【図２】
2005004949.tif 000007
【図３】
2005004949.tif 000008
【図４】
2005004949.tif 000009
【図５】
2005004949.tif 000010
【図６】
2005004949.tif 000011
【図７】
2005004949.tif 000012
【図８】
2005004949.tif 000013
【図９】
2005004949.tif 000014
【図１０】
2005004949.tif 000015
【図１１】
2005004949.tif 000016
【図１２】
2005004949.tif 000017
【図１３】
2005004949.tif 000018